(57)【要約】【課題】多数（特に３枚以上）の紙片を、紙片の平面形状を保って整然と展示するための紙片ホルダを提供すること。【解決手段】矩形状の裏面シートに表面シートを重ねてその周縁のうち前記矩形の３辺を固着した単位ポケットを有する収容部と、２つ以上の掛け穴を有する保持部とを備える。収容部には、２つ以上の単位ポケットを設けること、特に上下方向に連ねた単位ポケットを設けることができる。保持部によって、上端と下端を固定し、上下から紙片に張力を与えて平面形状を保つ。【選択図】図１
0003171469.tif 000002
【実用新案登録請求の範囲】
【請求項１】
矩形状の裏面シートに表面シートを重ねてその周縁のうち前記矩形の３辺を固着した単位ポケットを有する収容部と、
前記収容部の上辺に沿った、２つ以上の掛け穴を有する第一の保持部と、
前記収容部の下辺に沿った、第二の保持部又は第二の保持部の一部である被保持片（保持具によって把持されるもの）を備える
ことを特徴とする、紙片ホルダ。
【請求項２】
前記保持部は、前記収容部から突出した被保持片と、前記掛け穴を有する矩形状の保持具とからなり、
前記保持具は、前記掛け穴と対向する辺に沿って前記被保持片を把持する把持部を有する
ことを特徴とする、請求項１に記載の紙片ホルダ。
【請求項３】
前記保持具が硬質合成樹脂製である
ことを特徴とする請求項２に記載の紙片ホルダ。
【請求項４】
前記収容部は、全体として矩形状（収容部矩形）であり、２つ以上の前記単位ポケットを有し、
各単位ポケットの固着されていない辺が前記収容部矩形の縦辺に合致する
ことを特徴とする、請求項１〜３のいずれか１項に記載の紙片ホルダ。
【請求項５】
前記収容部は、前記単位ポケットを縦方向に１列に連ねたものである
ことを特徴とする、請求項４に記載の紙片ホルダ。
【請求項６】
前記収容部は、前記単位ポケットを縦方向に２列に連ねたものである
ことを特徴とする、請求項４に記載の紙片ホルダ。
【請求項７】
前記表面シート及び前記裏面シートの少なくとも一方が硬質合成樹脂製である
ことを特徴とする請求項１〜６のいずれか１項に記載の紙片ホルダ。
【請求項８】
前記掛け穴は、帳票設計基準のとじ穴に対応する位置に設けられている
ことを特徴とする請求項１〜７のいずれか１項に記載の紙片ホルダ。
【請求項９】
前記単位ポケットの収容部分のサイズは、ＪＩＳ規格の用紙サイズと同一またはＪＩＳ規格の用紙サイズよりもやや大きいものである
ことを特徴とする請求項１〜８のいずれか１項に記載の紙片ホルダ。
【考案の詳細な説明】
【技術分野】
【０００１】
本考案は、ポスタ等の紙片を展示するために使用する紙片ホルダに関するものである。
【背景技術】
【０００２】
ポスタ等の紙片を壁面等に展示するためには、画鋲等で止める、セロファンテープで貼り付ける等の方法が広く用いられている。しかし、（１）紙片の表面が露出しており汚れるため長期間の展示には適さない、（２）紙片に対して十分な張力が与えられず紙片が丸まってしまい平面形状を保たない、といった問題がある。
【０００３】
上記（１）の問題を解決するものとして、表面透明な紙片ホルダに紙片を収容して展示する方法が開示されている。例えば特許文献１には、合成樹脂性の裏面台シートと表面透明シートとでポケットを形成する紙片ホルダが開示されている。この方法によれば、硬質の台シートによって紙片の平面形状を保つ効果も期待され、上記（２）の問題が緩和される。しかし、台シートがビニール等の軟質の材料の場合には（２）の問題が解決されていない。
また、２枚以上の紙片を展示するために紙片ホルダ同士を結合することができる構造も開示されている。しかし、多数の紙片を展示する場合には、この結合に係る作業が面倒である。
【０００４】
例えば特許文献２には、作品収納部と名札収納部の２つのポケットを設けたホルダが開示されている。このように複数のポケットを設けたホルダでは、結合に係る作業が少なくなる。なお、特許文献２には、３つ以上のポケットを設けることは開示されていない。
【０００５】
３枚以上の多数の紙片を上下方向に並べて展示する場合については、紙片ホルダが縦に長くなり、その上端を壁面に固定しても、下端近くにおいては紙片に対して十分な張力が与えられないので、上記（２）の問題がある。また、振動して動いてしまい、見づらくなる。この問題は、特許文献１の紙片ホルダを多数結合して用いる場合にも、特許文献２のホルダを３つ以上のポケットを設けるように改造して用いる場合にも、発生する。
以上のとおり、多数（特に３枚以上）の紙片を、紙片の平面形状を保って整然と展示するための紙片ホルダは開示されていない。
【先行技術文献】
【特許文献】
【０００６】
【特許文献１】実用新案登録第３０９２７２０号公報
【特許文献２】特開平０８−００６５１５号公報
【考案の概要】
【考案が解決しようとする課題】
【０００７】
解決しようとする問題点は、多数（特に３枚以上）の紙片を、紙片の平面形状を保って整然と展示するための紙片ホルダを提供することである。
【課題を解決するための手段】
【０００８】
本考案の紙片ホルダは、
矩形状の裏面シートに表面シートを重ねてその周縁のうち前記矩形の３辺を固着した単位ポケットを有する収容部と、
前記収容部の上辺に沿った、２つ以上の掛け穴を有する第一の保持部と、
前記収容部の下辺に沿った、第二の保持部又は第二の保持部の一部である被保持片（保持具によって把持されるもの）を備える
ことを特徴とする。
単位ポケットに紙片を差入れて収容し、壁面等に設けられた釘等を第一の保持部の掛け穴に通すことで、紙片ホルダを保持して展示する。その際、収容部が縦に長い場合には、第一の保持部を壁面に固定しても収容部の下端近くにおいては紙片に対して十分な張力が与えられずに紙片が丸まってしまい、また、振動して動いてしまい見づらくなる。第二の保持部の掛け穴にも釘等を通して下端も固定することで、この問題が解消する。上端と下端が固定され収容部に張力が加わって弛みがなくなるので、収容部が軟性の材質であっても紙片の平面性が保たれるためである。
なお、単位ポケットは１つのみ設けても、後述のように２つ以上設けてもよい。透明の表面シートを用いて、紙片表面の汚れを防止することができる。
ここで、「紙片」はポスタ、Ａ４サイズ等の用紙に何かを印刷したもの、絵画、ちらし、絵はがき、その他各種のサイズのものが考えられる。また、布地、金属板、その他紙以外の材質のものも、薄いものであれば紙片として取扱うことができる。
【０００９】
本考案の紙片ホルダは、
前記保持部は、前記収容部から突出した被保持片と、前記掛け穴を有する矩形状の保持具とからなり、
前記保持具は、前記掛け穴と対向する辺に沿って前記被保持片を把持する把持部を有する
ことを特徴とする。
保持具は、収容部から分離可能である。表面シートが破れてしまった場合、長期の使用で表面シートが汚れた場合、その他収容部を交換したい場合に、保持具については交換せずに継続して使用することができる。収容部はビニール等によって保持具よりも低コストで生産できると考えられる。保持具を継続して使用することができることで使用者にとっては全体のコストが抑制できる。
把持部及び被保持片は、収容部及び収容される紙片の重量を支え、紙片に対して張力を与えるものである。後述の実施例に示すものの他、ピンを被保持片に刺す、把持部及び被保持片の双方に面ファスナを設ける、被保持片の上端に突起を設けこれを把持部に掛合する、その他の手段を用いることができる。
【００１０】
本考案の紙片ホルダは、
前記保持具が硬質合成樹脂製である
ことを特徴とする。
「硬質合成樹脂」とは、プラスチック等の一定の強度を持った合成樹脂を言う。保持具には掛け穴を設けるので、軟質の材であると生産が困難になることもある。硬質合成樹脂製とすれば、金型による生産、ドリルによる穴あけ等により容易に生産することができる。
また、壁面に設けられた釘等との接触部分が変形することもなく、長期に使用できる。
【００１１】
本考案の紙片ホルダは、
前記収容部は、全体として矩形状（収容部矩形）であり、２つ以上の前記単位ポケットを有し、
各単位ポケットの固着されていない辺（差入辺）が前記収容部矩形の縦辺に合致する
ことを特徴とする。
矩形状の単位ポケットを２つ以上組み合わせて、収容部全体を矩形状とする。２つ以上の紙片を整然と配置することができる。
収容部矩形を壁面に配した際に上側の辺を「上辺」、下側の辺を「下辺」、左右の辺を「縦辺」と呼ぶ。差入辺が収容部矩形の縦辺に合致するので、紙片を収容部の左右から容易に出し入れすることができる。
【００１２】
本考案の紙片ホルダは、
前記収容部は、前記単位ポケットを縦方向に１列に連ねたものである
ことを特徴とする。
単純な形状で多数の単位ポケットを連ねることができ、多くの紙片を展示することができる。
【００１３】
本考案の紙片ホルダは、
前記収容部は、前記単位ポケットを縦方向に２列に連ねたものである
ことを特徴とする。
左側に差入辺を持つ単位ポケット群と右側に差入辺を持つ単位ポケット群との２列に連ねることもできる。
【００１４】
本考案の紙片ホルダは、
前記表面シート及び前記裏面シートの少なくとも一方が硬質合成樹脂製である
ことを特徴とする。
硬質の表面シート又は裏面シートによって、紙片が丸まってしまうことが防止され、平面形状を保つことができる。
【００１５】
本考案の紙片ホルダは、
前記掛け穴は、帳票設計基準のとじ穴に対応する位置に設けられている
ことを特徴とする。
必要であれば、市販のバインダ（例えばルーズリーフ用のもの）に綴じて保管することができる。また、多数の掛け穴が存在するので、壁面における釘の位置等に幅広く対応することができる。
【００１６】
本考案の紙片ホルダは、
前記単位ポケットの収容部分のサイズは、ＪＩＳ規格の用紙サイズと同一またはＪＩＳ規格の用紙サイズよりもやや大きいものである
ことを特徴とする。
多くの印刷物は、ＪＩＳ規格の用紙サイズである。印刷物を効率的に収容することができる。ここで「収容部分」とは、単位ポケットの固着部分以外の紙片を収容可能な部分を言う。収容部が硬質であれば、紙片の出し入れに必要なだけ収容部分のサイズがＪＩＳ規格の用紙サイズよりもやや大きいことが好ましい。収容部が軟質であれば、収容部分のサイズをＪＩＳ規格の用紙サイズと同一とすることもできる。
【考案の効果】
【００１７】
本考案の紙片ホルダは、多数（特に３枚以上）の紙片を、紙片の平面形状を保って整然と展示することができる。特に、上下方向に多数の紙片を連ねて展示し、下部を固定して紙片に張力を与えることができる。むろん、１枚または２枚の紙片を展示する場合にも、左右方向に多数の紙片を連ねて展示する場合にも、紙片の平面形状を保って整然と展示することができる。
また、収容部を保持具と分離して交換でき、使用者のコストを抑制することができる。
【図面の簡単な説明】
【００１８】
【図１】図１は、紙片ホルダの構造を示す図である。（実施例１）
【図２】図２は、紙片ホルダの構造を示す図である。（実施例２）
【図３】図３は、保持具の構造を示す図である。（実施例２）
【図４】図４は、被保持片の構造を示す図である。（実施例２）
【図５】図５は、保持具が被保持片を把持する状態を示す図である。（実施例２）
【図６】図６は、保持具及び被保持片の他の形態を示す図である。（実施例２）
【図７】図７は、収容部のバリエーションを示す図である。（実施例３）
【図８】図８は、使用例を示す図である。（実施例３）
【図９】図９は、使用例を示す図である。（実施例３）
【考案を実施するための形態】
【００１９】
以下、本考案の実施例を、図面を参照しつつ説明する。なお、図面において、理解を容易にするため各部の大きさを誇張して表現している部分があり、図面と実際の実施形態とは必ずしも一致しない。
【実施例１】
【００２０】
図１は、紙片ホルダの構造を示す図である。紙片ホルダ１は、収容部２を有する。収容部２には４つの単位ポケット３が設けられている。収容部２の上下には掛け穴の開いた保持部４が設けられている。
単位ポケット３は、裏面シート５と表面シート６とを、矩形の３辺に沿った固着部分７において固着したものである。図において左側にある固着されていない辺から紙片を差入れ、抜取ることができる。裏面シート５はプラスチック製であり、表面シート６はビニール製である。硬質の裏面シート５によって紙片の平面性が保たれ、軟質の表面シートを動かすことで紙片を差入れ、抜取ることが容易にできる。なお、図の左下に示すように裏面シート５及び表面シート６を両方ともビニール製としてもよい。また、裏面シート５及び表面シート６を両方ともプラスチック製としてもよい。
【００２１】
単位ポケットの収容部分のサイズは、Ａ４である。使用者は、Ａ４の紙に印刷されたポスタ等を展示することができる。印刷は、印刷業者に行わせてもよいが、Ａ４サイズであるので、パーソナルコンピュータ等を用いて自ら印刷することも容易である。
なお、単位ポケットの収容部分のサイズはＡ４に限定されず、Ａ３、Ｂ５等用途に応じて設計すればよい。
【００２２】
保持部４の掛け穴は、帳票設計基準のとじ穴に対応する位置に設けられている。必要に応じて紙片ホルダをバインダに綴じこんで保存することができる。また、多くの掛け穴が開けられているので、壁面の適宜な箇所（使用者にとって都合の良い箇所）に２本以上の釘を打ち、紙片ホルダ１を掛けて展示することができる。これらの釘に対応する箇所に掛け穴が存在するためである。
【００２３】
下方にも保持部４が設けられている。下方の保持部４をも釘で固定して、紙片に張力を与えるとともに、振動して動いてしまい見づらくなることを防止することができる。
【実施例２】
【００２４】
図２は、紙片ホルダの構造を示す図である。実施例１と異なる点は、保持部４が被保持片８と保持具９とから構成されている点である。
図（ａ）のように上下に保持部を設けることが好ましいが、図（ｂ）のように下側は被保持片８のみであってもよい。この場合、収容部に与えられる張力が小さくなるが、展示対象の紙片の硬度によっては小さな張力でも平面性を保つことができる。
【００２５】
図３は、保持具の構造を示す図である。保持具９はプラスチック製である。その上部には掛け穴１０が設けられ、実施例１と同様に壁面の適宜な箇所（使用者にとって都合の良い箇所）に２本以上の釘を打ち、紙片ホルダ１を掛けて展示することができる。
保持具９の側面において、２枚の板が支点１１において接合され、バネ１２によって下方が接するように付勢されている。下方には２つの把持部１３が設けられている。把持部１３はゴム製であり、被保持片８を摩擦力によって効率良く把持する。
【００２６】
図４は、被保持片の構造を示す図である。被保持片８はビニール製である。その上部には突起１４が設けられている。突起１４は、その部分の被保持片８が厚くなっているものである。図に示すように断面円形である必要はない。
図５は、保持具が被保持片を把持する状態を示す図である。被保持片８は、ゴムである把持部１３との摩擦により固定され、その下の収容部３を保持する。突起１４によって固定が確実になり収容部３が落下することがなくなる。
【００２７】
図６は、保持具及び被保持片の他の形態を示す図である。このように、保持具の掛け具１５に被保持片の掛け穴１６を掛ける形態も可能である。また、掛け具１５に替えて、ボタンによって被保持片の掛け穴１６を止める形態も可能である。
【実施例３】
【００２８】
図７は、収容部のバリエーションを示す図である。実施例１及び２では、単位ポケットを図（ａ）のように縦方向に１列に連ねたものとしていた。これを、図（ｂ）のように縦方向に２列に連ねたものとすることもできる。より多くの紙片を展示することができる。
図（ｃ）及び図（ｄ）のように、異なるサイズの単位ポケットを設けることもできる。単位ポケットのサイズや２つ以上の紙片ホルダを活用して、以下のような効果を得ることができる。
【００２９】
図８は、使用例を示す図である。単位ポケット３ａはＡ３サイズであり、単位ポケット３ｂ及び３ｃはＡ４サイズである。
フランチャイズ製のショップチェーンにおいて、各店舗（支店）には図８に示す紙片ホルダが展示されている。チェーン全体のキャンペーンを表すＡ３サイズのポスタが、チェーンの本部から郵送され、各店舗はそれを単位ポケット３ａに入れて展示する。単位ポケット３ｂ及び３ｃには、キャンペーンの期間、問い合わせ先の情報を示す紙片が展示される。これらは、支店毎に異なる情報である。Ａ４サイズの紙片であるので、各支店において容易に印刷し作成することができる。
チェーン全体のキャンペーンを表すＡ３サイズのポスタには、支店毎に異なる情報を含まないようにすることができ、チェーン本部における大量の一括印刷が可能となる。
【００３０】
図９は、使用例を示す図である。Ａ４サイズの単位ポケットを３つ備えた紙片ホルダを２つ並べて用いる。
各単位ポケットには、１文字が書かれた紙片が挿入される。２つの紙片ホルダ全体として、図９に示すようにメッセージを大きな文字で明確に伝えることができる。
【産業上の利用可能性】
【００３１】
多数（特に３枚以上）の紙片を、紙片の平面形状を保って整然と展示することができる紙片ホルダであり、商店等の多くの事業者による活用が考えられる。
【符号の説明】
【００３２】
１    紙片ホルダ
２    収容部
３    単位ポケット
４    保持部
５    裏面シート
６    表面シート
７    固着部分
８    被保持片
９    保持具
１０  掛け穴
１１  支点
１２  バネ
１３  把持部
１４  突起
１５  掛け具
１６  掛け穴
【図１】
0003171469.tif 000003
【図２】
0003171469.tif 000004
【図３】
0003171469.tif 000005
【図４】
0003171469.tif 000006
【図５】
0003171469.tif 000007
【図６】
0003171469.tif 000008
【図７】
0003171469.tif 000009
【図８】
0003171469.tif 000010
【図９】
0003171469.tif 000011